(57)【特許請求の範囲】
【請求項１】
実験用遠心分離機におけるハウジング（１）に対する閉鎖部（２）のロック装置であって、
突出するガイド要素（９）を備え、ハウジング（１）内に回転軸（７）を中心として回動可能に支持される少なくとも一つのスイベルレバー（８）と、
スイベルレバー（８）を前記回転軸（７）を中心として回動させる少なくとも一つの駆動体（１９）と、
スイベルレバー（８）における枢支軸（１１）に前記回転軸（７）から間隔をおいて支持される少なくとも一つのキャッチフック（１２）であって、前記枢支軸（１１）から半径方向に間隔をおいて、前記枢支軸（１１）と同心状のカムセグメント（１４）を有し、このカムセグメント（１４）にスイベルレバー（８）の前記ガイド要素（９）を嵌るものと、
前記ガイド要素（９）が前記カムセグメント（１４）における第一停止終端部（１４ ’）に接当するまでキャッチフック（１２）を閉鎖方向へ押圧する少なくとも一つのバネ手段（１７）と、
キャッチフック（１２）が開放位置にあってスイベルレバー（８）が閉鎖位置へ回動される場合にはバネ手段（７）がキャッチフック（１２）を第一停止終端部（１４ ’）がガイド要素（９）に位置するよう保持することにより、キャッチフック（１２）をスイベルレバー（８）により閉鎖方向に回動させ、また、キャッチフック（１２）が閉鎖エッジ（４）に衝突し、スイベルレバー（８）が閉鎖方向に回動され続ける場合にはガイド要素（９）がカムセグメント（１４）内を第二停止終端部（１４ ”）まで移動して、スイベルレバー（８）が枢支軸（１１）をキャッチフック（１２）とともに閉鎖部（２）の閉鎖方向に移動させ、これにより、キャッチフック（１２）が閉鎖部（２）を閉鎖位置へ引張り込むように、閉鎖部（２）において締め付けられる少なくとも一つの閉鎖エッジ（４）
とから構成されることを特徴とするハウジングに対する閉鎖部のロック装置。
【請求項２】
スイベルレバー（８）が実質的に円弧形状を有するものである請求項１記載のハウジングに対する閉鎖部のロック装置。
【請求項３】
回転軸（７）が円弧状スイベルレバー（８）の内角領域に配置され、および・または、枢支軸（１１）が円弧状スイベルレバー（８）の側方端部近くに配置されているものである請求項２記載のハウジングに対する閉鎖部のロック装置。
【請求項４】
スイベルレバーが、円弧形状において回転軸を中心として延びるマージン領域において、駆動体（１９）の一連の歯体（２０）と相互作用する一連の歯体（１０）を有し、スイベルレバー（８）を回転軸（７）を中心に回動させるものである請求項１乃至３のいずれか１項に記載のハウジングに対する閉鎖部のロック装置。
【請求項５】
ガイド要素が、ガイドピン（９）である請求項１乃至４のいずれか１項に記載のハウジングに対する閉鎖部のロック装置。
【請求項６】
ガイド要素（９）が、スイベルレバー（８）を支持するための回転軸（７）の延長部分により形成されるものである請求項１乃至５のいずれか１項に記載のハウジングに対する閉鎖部のロック装置。
【請求項７】
駆動体（１９）が電動式モーターによるものである請求項１乃至６のいずれか１項に記載のハウジングに対する閉鎖部のロック装置。
【請求項８】
ロック位置にある電動モーター式駆動体（１９）を短絡させることにより、セルフロック作用を強化する回路が存在するものである請求項１乃至７のいずれか１項に記載のハウジングに対する閉鎖部のロック装置。
【請求項９】
キャッチフック（１２）が広幅の基部（１３）を有し、前記基部（１３）に、枢支軸（１１）が支持され、且つ、前記基部（１３）における枢支軸と、フック端部（１５）を備えた隣接のネック部との間に、カムセグメント（１４）を有するものである請求項１乃至８のいずれか１項に記載のハウジングに対する閉鎖部のロック装置。
【請求項１０】
キャッチフック（１２）がカムセグメント（１４）とフック端部（１５）との間のネック部にバネ手段（１７）のための固定点（１６）を有するものである請求項１乃至９のいずれか１項に記載のハウジングに対する閉鎖部のロック装置。
【請求項１１】
バネ手段（１７）の他端がハウジング（１）に保持されるものである請求項１乃至１０のいずれか１項に記載のハウジングに対する閉鎖部のロック装置。
【請求項１２】
キャッチフック（１２）がハウジング（１）上側のスロット状穴（５）を通って移動させられ、これにより、キャッチフック（１２）はハウジング（１）上側に対し垂直に、また、平行に変位可能であるものである請求項１乃至１１のいずれか１項に記載のハウジングに対する閉鎖部のロック装置。
【請求項１３】
キャッチフック（１２）が穴（５）の位置において、実質的にハウジング（１）上側から突出しないものである請求項１乃至１２のいずれか１項に記載のハウジングに対する閉鎖部のロック装置。
【請求項１４】
閉鎖エッジ（４）が、上方に空洞の存在する閉鎖部下側に対して引っ込んだ領域に形成されるものである請求項１乃至１３のいずれか１項に記載のハウジングに対する閉鎖部のロック装置。
【請求項１５】
閉鎖部（２）がハウジング（１）へ旋回可能に支持されるものである請求項１乃至１４のいずれか１項に記載のハウジングに対する閉鎖部のロック装置。
【請求項１６】
キャッチフック（１２）が、ほんの少々の角度の閉鎖部（２）回動位置における閉鎖エッジ（４）にフック端部（１５）を衝突させるものである請求項１乃至１５のいずれか１項に記載のハウジングに対する閉鎖部のロック装置。
【請求項１７】
閉鎖部（２）がキャッチフック（１２）により、ハウジング（１）のシールに対してシール状に引っ張られるものである請求項１乃至１６のいずれか１項に記載のハウジングに対する閉鎖部のロック装置。
【請求項１８】
枢支軸（１１）が閉鎖位置において、閉鎖エッジ（４）のフック端部（１５）の係止点と、ガイド要素（９）とを通る直線を越えるよう移動させられ、セルフロック作用を生じさせるものである請求項１乃至１７のいずれか１項に記載のハウジングに対する閉鎖部のロック装置。
【請求項１９】
キャッチフック（１２）を数個、備えたものである請求項１乃至１８のいずれか１項に記載のハウジングに対する閉鎖部のロック装置。
【発明の詳細な説明】
【０００１】
【発明の属する技術分野】
本発明は、特に実験用遠心分離機におけるハウジングへの閉鎖部のロック装置に関する。
【０００２】
【従来の技術】
実験用遠心分離機は、高速回転するローターとの接触や、遠心分離された成分との接触によって生じ得る事故の危険性を回避できるよう、操作時、安全にロックし得ることが求められている。本発明が関連する他の多くの装置においても、閉鎖部のための安全なロック装置が必要である。即ち、閉鎖部のための安全なロック装置は、例えば、洗浄機のフロントフラップや、モーター式乗物のトランクの蓋に適用される。
【０００３】
欧州公報ＥＰ０９５２３８５Ａ２号で知られる遠心分離機の蓋用安全ロックにおいては、少なくともひとつのホルダー要素を、蓋体の下側を通過させ、ハウジング内へ脱着可能に取り付けている。
【０００４】
前記ホルダー要素はフック形状に設計されていて、細幅の把手により、ハウジング内の閉鎖ボルトの周部の一部を積極的に締め付けるよう回動される。蓋体が閉鎖状態の場合、ローターが回転している限り、ロックピンが、ホルダー要素における切り欠き付きの爪と積極的に係合する。ロックピンは、操作順序に従って装置制御体により駆動される作動要素によって、前記切り欠き爪へ進入もしくはそこから退出させられる。ホルダー要素の作動には、手動により力を掛けることが必要であり、また、ホルダー要素は永久的に、蓋体下側から突出している。
【０００５】
欧州公報ＥＰ０１５４９８３Ａ２号から知られる遠心分離機のドアを閉鎖状態に維持する装置においては、ロック位置と開放位置へ移動可能とした数個の液圧式もしくは空気圧式フック要素を、遠心分離機ハウジングに取り付ける。このフック要素がロック位置にある場合は、閉鎖状に維持すべきドア側に設けたレシーバー要素と係合する。レシーバー要素もフック形状をしており、且つ、永久的に蓋体下側から突出している。この可動のフック状要素はハウジングへ固定した軸体へ、回動可能に支持されていて、ドアが開かれた場合でもハウジングの外側エッジから突出する。
【０００６】
【発明が解決しようとする課題】
一般に、蓋体や閉鎖部などのための手動操作式のロック装置の場合、蓋体を閉鎖、密閉するために比較的大きな力を掛ける必要がある。公知のロック装置が蓋体や閉鎖部などを閉じることができるのは、蓋体が閉鎖位置に維持されていて、且つ、通常用いられているシール要素が弾性的に絞り得るものである、という場合だけである。更に、公知のロック装置で示されているフック、もしくは、はと目穴は、ハウジングや蓋体から突出し、蓋体などの利用を阻害し、事故発生の原因にもなる。
【０００７】
【課題を解決するための手段】
以上のことから、本発明の目的は、実験用遠心分離機の蓋体ロック装置として設計したタイプの、ハウジングに対する閉鎖部のロック装置であって、操作上高い利便性を有し、且つ、蓋もしくはハウジングから突出するようなロック要素を避け得るものを提供する点にある。
【０００８】
本発明の目的は特許請求の範囲の請求項１の態様を有するロック装置により達成される。このロック装置の有効な種々の態様は従属項に示している。
而して本発明に基づく特に実験用遠心分離機におけるハウジングに対する閉鎖部のロック装置は、
突出するガイド要素を備え、ハウジング内に回転軸を中心として回動可能に支持される少なくとも一つのスイベルレバーと、
スイベルレバーを前記回転軸を中心として回動させる少なくとも一つの駆動体と、
スイベルレバーにおける枢支軸に前記回転軸から間隔をおいて支持される少なくとも一つのキャッチフックであって、前記枢支軸から半径方向に間隔をおいて、前記枢支軸と同心状のカムセグメントを有し、このカムセグメントにスイベルレバーの前記ガイド要素を嵌るものと、
前記ガイド要素が前記カムセグメントにおける第一停止終端部に接当するまでキャッチフックを閉鎖方向へ押圧する少なくとも一つのバネ手段と、
キャッチフックが開放位置にあってスイベルレバーが閉鎖位置へ回動される場合にはバネ手段がキャッチフックを第一停止終端部がガイド要素に位置するよう保持することにより、キャッチフックをスイベルレバーにより閉鎖方向に回動させ、また、キャッチフックが閉鎖エッジに接当し、スイベルレバーが閉鎖方向に回動され続ける場合にはガイド要素がカムセグメント内を第二停止終端部まで移動して、スイベルレバーが枢支軸をキャッチフックとともに閉鎖部閉鎖方向に移動させ、これにより、キャッチフックが閉鎖部を閉鎖位置へ引張り込むように、閉鎖部において締め付けられる少なくとも一つの閉鎖エッジ
とから構成される。
【０００９】
このロック装置において、ロック手順は二段階に分かれる。
即ち、ロック第一段階において、キャッチフックが、閉鎖部における閉鎖エッジに衝突するまで、スイベルレバーによって回動される。そしてロック第二段階に入り、スイベルレバーがキャッチフックを下向きに動かし、これにより、閉鎖部を閉鎖位置へ引き込む。このような運動伝達理論が、スイベルレバーの穴位置への配置、即ち、スイベルレバーが完全にハウジングへ入れられること、並びに、閉鎖部下側からアクセス可能で且つ閉鎖部下側から突出しない要素に閉鎖エッジを形成することを可能とする。これは、事故発生の心配のある、もしくは、しばしば事故を発生させる突出要素を、ハウジングや閉鎖部が有しないことを意味する。更にこのロック装置は、閉鎖部の閉鎖ならびに密閉のために実質的に力を掛けることが不必要であることから、操作上の利便性が高く操作しやすい。この運動伝達理論により、閉鎖部は、完全に閉鎖される必要無しに締め付けることが可能である。この点において、本願ロック装置は一種のキネマチックセンサーを構成しており、キャッチフックが閉鎖部の閉鎖エッジに衝突すると閉鎖部を密封位置もしくは閉鎖位置へ引き込む。この閉鎖部のモーションも、スイベルレバーによって、小さめの力だけで、行われる。
【００１０】
有効な実施例によれば、スイベルレバーは実質的に円弧形状を成し、特に、キャッチフックのための大きな表面を持った支持体であるとともに、ガイド要素および枢支軸の取付部となる。更に別の実施例によれば、回転軸が、円弧状スイベルレバーの内角領域に配置される。また別の有効な実施例においては、枢支軸が円弧状スイベルレバーの側方端部近傍に配置される。更に、円弧状スイベルレバーの外方端部を利用して、一連の歯体が形成され、駆動体側の一連の歯体と相互作用する。また別の実施例においてスイベルレバーは、前記の一連の歯体を、円弧形状における回転軸の回りに拡がるマージン領域に形成する。
【００１１】
極めて単純な別の実施例において、ガイド要素は、スイベルレバーから突出するガイドピンである。ガイド要素は、スイベルレバーを支持する回転軸から離間して配設しても良いが、別の有効な実施例によれば、ガイド要素は、スイベルレバーを支持するための回転軸の延長部分として定義される。
【００１２】
スイベルレバーの駆動は基本的にマニュアル駆動で良いが、本発明実施例によれば、駆動を電動モーターによることによって最高の操作利便性が得られる。また、キャッチフックの閉鎖位置での固定は、セルフロック装置もしくは別途の駆動伝達装置におけるブロック装置により行われる、もしくは、強化される。このブロック装置として、駆動モーターに、ロックのケースにおける駆動モーターの短絡を可能にする回路を設けて、モーターのセルフロック装置作用を強化するようにしても良いが、機械的に駆動伝達装置と係合するタイプのブロック装置でも良い。このブロック装置の場合はセルフロック作用に基づき比較的簡単に実現できる。
【００１３】
本発明実施例によれば、キャッチフックは幅広の基部を備え、ここに枢支軸を支持するとともに、枢支軸と、キャッチフックにおけるフック端部をもったネック部との間にカムセグメントを形成する。更にキャッチフックは、カムセグメントとフック端部との間に、バネ要素のための固定点を形成して良い。バネ要素はキャッチフックと、スイベルレバーとの間で特に作用し得るが、本発明の別の有効な実施例によれば、キャッチフックと、ハウジングにおける固定点との間で作用させることもできる。
【００１４】
キャッチレバーは、ハウジング上側に形成するスロット形状の穴を通過可能にし、これにより、キャッチレバーは、ハウジング上側に対して垂直に、且つ、平行に変位可能となる。基本的に本発明ロック装置は、キャッチレバーが常時ハウジング上側から多少突出するように配設されるが、キャッチレバーが開放位置においてハウジング上側から突出しないような収容形態が特に有益である。
【００１５】
基本的に、閉鎖エッジも、閉鎖部における突出要素に形成して良いが、別の特に有効な実施例によれば、閉鎖エッジは、閉鎖部下側より引っ込んだ領域に形成する。
【００１６】
本発明ロック装置は基本的には、ハウジングへ所望の動作形式で導かれるいづれの閉鎖部にも適しているが、回動、旋回可能にハウジングに支持される閉鎖部のロック装置が特に有効である。また、ロック装置を、閉鎖部におけるスイベルベアリングから間隔をあけて取り付けることが好ましい。いづれの場合も、一つ乃至それ以上のロック装置を閉鎖部に設けて良いが、特に回動や旋回可能に支持される閉鎖部の場合にはロック装置はひとつだけでも十分である。
【００１７】
本発明の別の実施例によれば、回動可能に支持される閉鎖部においてキャッチフックのフック端部が、少々の角度の回動位置にある閉鎖部における閉鎖エッジに衝突する。そして更に閉鎖部は回動され、ほぼ閉じた状態となり、ロック装置のための予め必要な条件が整う。閉鎖部が更に回動され続けより一層閉じた場合でも、確実に、キャッチフックが閉鎖エッジに衝突し、蓋の閉鎖位置への引き込みが開始されるので、何らも障害は生じない。
【００１８】
更に別の有効な実施例によれば、閉鎖部はキャッチフックにより、閉鎖部とハウジングとの間のシール部分の方へ引っ張られる。
【００１９】
別の有効な実施例によれば、閉鎖位置における閉鎖機構によるセルフロック作用の達成が、枢支軸が閉鎖位置において、閉鎖エッジのフック端部係止ポイントと、ガイド要素とを通る直線を越えるよう移動されることにより為される。
【００２０】
更に又、本発明の有効な実施例によれば、ロック装置に複数のキャッチフックを設けても良く、これらを、好ましくはハウジングにおいて互いに間隔をもったいくつかの部位に支持することにより、閉鎖部を可能な限り安全にロックすることが可能となる。また、各々別のキャッチフックを、それぞれ独自の駆動体もしくは駆動モーターを持った各々別のスイベルレバーに配置することが好ましいが、各々別のスイベルレバーは、例えば、一本のシャフトを用いて、共通の駆動体に接続するようにしても良い。更に、複数のキャッチレバーをスイベルレバーにおける各側に配置して、閉鎖エッジをそれぞれ二度ずつ締め付けることも可能である。
【００２１】
【発明の実施の形態】
以下本発明について添付図面に示した実施例により更に詳細に説明する。
本発明ロック装置は、実験用遠心分離機に設ける。この遠心分離機はハウジング（１）と、ハウジング（１）に回動、旋回可能に支持されハウジング（１）の上側穴を閉じる蓋体（２）とを備える。前記ハウジング上側穴から、遠心分離ローターへのアクセスが可能である。各図では、前記蓋体（２）のためのスイベルベアリングから離間した位置におけるハウジング（１）および蓋体（２）部分のみを示している。
【００２２】
蓋体（２）の周端部は下方に延びている。少なくとも、前記蓋体（２）のスイベルベアリングとは反対側の位置にある前記蓋体周端部内面から、マージン部（３）が内方に突出し、その内方端部が閉鎖エッジ（４）を形成する。
【００２３】
ハウジング（１）は水平な上側部に、蓋体（２）の前記スイベルベアリングの横方向に延びるスロット（５）を有する。スロット（５）は、蓋体（２）が閉鎖位置にある場合ほぼ閉鎖エッジ（４）の高さから始まり、閉鎖エッジ（４）から大きく間隔を開けて終わる。
【００２４】
ハウジング（１）内のほぼスロット（５）の下の位置には、閉鎖エッジ（４）と相互作用するこのロック機構における更にふたつのパーツがある。これらについて以下に詳記する。
【００２５】
ハウジングに固定されたフレーム構造（６）において回転軸（７）がスロット（５）の横方向に支持されている。この回転軸（７）は、実質的に円弧形状のスイベルレバー（８）を、回動、旋回可能に支持する。前記回転軸（７）は前記円弧状スイベルレバーの内角領域内にある。更に、回転軸（７）はスイベルレバー（８）の図面に現れた側から突出して、ガイドピン（９）部分を形成する。更に、スイベルレバー（８）における実質的な円弧形状の端部に、一連の歯体（１０）を設ける。
【００２６】
前記スイベルレバー（８）においてガイドピン（９）が突出する前記した側には、突出する枢支軸（１１）を支持している。この枢支軸（１１）はスイベルレバー（８）における図中左側の端部にある。前記枢支軸（１１）は前記回転軸（７）から間隔をあけ、一連の歯体（１０）近傍に配置される。
【００２７】
枢支軸（１１）はキャッチフック（１２）を支持し、キャッチフック（１２）は、これも同じく実質的に円弧状の基部（１３）を有する。この場合、枢支軸（１１）は基部（１３）の内角領域にある。前記基部（１３）の外方端部近傍に、キャッチフック（１２）は、枢支軸（１１）と同心でガイドピン（９）と係合するカムセグメント（１４）を有する。
【００２８】
キャッチフック（１２）は更に、前記基部（１３）に端を発し、フック端部（１５）を備えたネック部を有する。キャッチフック（１２）は、前記スロット（５）を通る縦方向の平面に沿って移動させられ、フック端部（１５）をスロット（５）に係合させ、また、スロット（５）を通って握持締付作用を行う。
【００２９】
図中左側においてキャッチフック（１２）は係止用はと目（１６）を持ちここに螺旋バネ（１７）が支持される。螺旋バネ（１７）の他端は、ハウジングに固定したフレーム構造（６）の係止ポイント（１８）に保持される。このバネ要素（１７）の配設は、バネ要素（１７）が、このロック機構におけるいづれかの位置にあるスイベルベアリング（１１）より高くなるようにし、このバネ要素が常時、キャッチフック（１２）を反時計方向に、ガイドピン（９）がガイドカム（１４）における図中右側の第一停止終端（１４’）に衝突する位置へ引っ張る傾向を持ち得るように行う。
【００３０】
尚、このロック機構は電動駆動モーター（１９）を有している。前記駆動モーター（１９）はハウジングに堅く支持され、且つ、スイベルレバー（８）の前記した一連の歯体（１０）と係合する一連の歯体を持った回転駆動ギヤ（２０）を有している。
【００３１】
本発明ロック装置の操作は以下の通りである。
図１に示した開放位置において、駆動モーター（１９）はスイベルレバー（８）を回転軸（７）を中心として時計まわりに、ギヤ（２０）が一連の歯体（１０）の一方の端にほぼ到達するよう終端位置が来るまで、回動させる。この位置において、押圧されている螺旋バネ（１７）がキャッチフック（１２）を反時計まわりに引っ張り、これにより、ガイドピン（９）がカムセグメント（１４）の第一停止終端（１４’）に接当する。
【００３２】
蓋体（２）を閉じるためには、まず、手で蓋体（２）をハウジングの方へ、図１に示したように蓋体（２）がハウジング（１）に対して約５゜の角度位置にくるまで回動させる。
【００３３】
この蓋体（２）をロックするためには、駆動モーター（１９）がスイベルレバー（８）を回転軸（７）を中心に反時計方向に駆動する。そして螺旋バネ（１７）がキャッチフック（１２）の第一停止終端（１４’）をガイドピン（９）に対して連続的に接当させる。これにより、キャッチフック（１２）が、回転軸（７）を中心にこれに沿って回動させられ、フック端部（１５）がスロット（５）上側から出る。キャッチフック（１２）はフック端部（１５）が図２のように蓋体（２）の閉鎖エッジ（４）に衝突するまで回動させる。
【００３４】
キャッチフック（１２）が閉鎖エッジ（４）に衝突するやいなや、今度は閉鎖エッジ（４）が新たにキャッチフック（１２）の支点と成る。そして、スイベルレバー（８）が反時計方向に回動され続けると、これにより、キャッチフック（１２）が枢支軸（１１）により引き下げられ、カムセグメント（１４）内のガイドピン（９）が図中左側の第二停止終端（１４”）の方向に移動される。キャッチフック（１２）の前記下方向運動により、蓋体（２）が閉鎖エッジ（４）の位置でハウジングの上面へ引っ張られる。この閉鎖動作は、ギヤ（２０）が時計回り方向において一連の歯体（１０）の最外側端部にほぼ到達する時点で終了する。これにより、スイベルベアリング（１１）が閉鎖エッジ（４）とガイドピン（９）により回動されて、先に述べた延長直線を越え、これにより、セルフロック効果が発生する。このポイントにおいて、ガイドピン（９）がカムセグメント（１４）の第二停止終端（１４”）に接当することが好ましいが、但し、基本的には、ガイドピン（９）が閉鎖位置において第二停止終端（１４”）に到達しないようにすることもできる。
【００３５】
また、セルフロック作用は、駆動伝達式によっても達成できる。更に、電動式駆動モーター（１９）を、キャッチフック（１２）を図３の閉鎖位置に確保することを考慮して短絡させる。
【００３６】
蓋体（２）のロックを解除するためには、駆動モーター（１９）を逆方向に操作し、上記した各操作を逆方向に行う。
【図面の簡単な説明】
【図１】遠心分離機蓋体用ロック装置が開放位置にある状態を示した蓋体及びハウジング部分における部分断面図である。
【図２】図１のロック装置においてキャッチフックが閉鎖エッジに衝突した状態を示す図１と同様の部分断面図である。
【図３】前記ロック装置が閉鎖位置にある状態を示す図１と同様の部分断面図である。
【符号の説明】
１        ハウジング
２        蓋体
３        マージン部分
４        閉鎖エッジ
５        スロット（ハウジング上側穴）
６        フレーム構造
７        回転軸
８        スイベルレバー
９        ガイドピン
１０        歯体
１１        枢支軸
１２        キャッチフック
１３        キャッチフック基部
１４        カムセグメント
１５        フック端部
１６        ベアリングはと目
１７        螺旋バネ
１８        係止部
１９        電動モーター
２０        回転駆動ギヤ
【図１】
0004675484.tif 000002
【図２】
0004675484.tif 000003
【図３】
0004675484.tif 000004